(57)【要約】【課題】  ２信号合成の最適ウエイト演算をアナログ回路によって簡単に求め、演算のスピードアップを図る。【解決手段】  各アンテナから入力される受信信号にそれぞれ重み付けを施す第１の重み付け手段、第２の重み付け手段と、第１の重み付け手段の重み付けに対する第２の重み付け手段の重み付けの比αを求める演算手段と、各重み付け手段からそれぞれ出力される信号を互いに合成する合成手段と、２つの信号間の位相を同位相にする移相手段とを備え、第１の重み付け手段に入力される信号の信号成分、ノイズ成分の大きさをそれぞれＳ１、Ｎ１で表し、第２の重み付け手段に入力される信号の信号成分、ノイズ成分の大きさをそれぞれＳ２、Ｎ２で表した場合、重み付けの比αを（Ｓ２／Ｓ１）×（Ｎ１／Ｎ２）２とした【選択図】        図２
2006173920.tif 000002
【特許請求の範囲】
【請求項１】
離間して配置された２つのアンテナにそれぞれ対応して設けられ、各アンテナから入力される受信信号にそれぞれ重み付けを施す第１の重み付け手段、第２の重み付け手段と、前記第１の重み付け手段の重み付けに対する前記第２の重み付け手段の重み付けの比αを求める演算手段と、前記各重み付け手段からそれぞれ出力される信号を互いに合成する合成手段と、前記２つの信号間の位相を同位相にする移相手段とを備え、前記第１の重み付け手段に入力される信号の信号成分、ノイズ成分の大きさをそれぞれＳ１、Ｎ１で表し、前記第２の重み付け手段に入力される信号の信号成分、ノイズ成分の大きさをそれぞれＳ２、Ｎ２で表したした場合、前記重み付けの比αを（Ｓ２／Ｓ１）×（Ｎ１／Ｎ２）２としたことを特徴とするスマートアンテナ装置。
【請求項２】
前記演算手段は前記第１の重み付け手段から出力される信号成分の大きさに対する前記第２の重み付け手段から出力される信号成分の大きさの比を求める第１の除算回路と、前記第２の重み付け手段から出力されるノイズ成分の大きさに対する前記第１の重み付け手段から出力されるノイズ成分の大きさの比を求める第２の除算回路と、前記第２の除算回路の出力値を２乗する２乗算回路と、前記第１の除算回路の出力値と前記２乗算回路の出力値とを乗算する乗算回路とから構成したことを特徴とする請求項１に記載のスマートアンテナ装置。
【請求項３】
前記第１の重み付け手段から出力される信号の信号成分とノイズ成分とを互いに分離する第１の分離手段と、前記第２の重み付け手段から出力される信号の信号成分とノイズ成分とを互いに分離する第２の分離手段とを設け、分離された前記各信号成分を前記第１の除算回路に入力し、分離された前記各ノイズ成分を前記第２の除算回路に入力したことを特徴とする請求項２に記載のスマートアンテナ装置。
【請求項４】
前記第１及び第２の分離手段を、それぞれ前記受信信号の帯域を通過する第一のバンドパスフィルタと前記受信信号の帯域外を通過する第２１のバンドパスフィルタとで構成したことを特徴とする請求項３に記載のスマートアンテナ装置。
【請求項５】
前記第１の重み付け手段と前記第２の重み付け手段との重み付けを設定するための重み付け設定手段を設け、前記重み付けの比αを示す信号を前記重み付け設定手段に入力したことを特徴とする請求項１乃至４の何れかに記載のスマートアンテナ装置。
【請求項６】
前記第１の重み付け手段と前記第２の重み付け手段とをそれぞれ可変利得増幅器で構成し、前記重み付け設定手段を差動増幅器で構成したことを特徴とする請求項５に記載のスマートアンテナ装置。
【請求項７】
Ｎを２以上の正の整数として請求項１乃至６に記載のスマートアンテナ装置を２Ｎ−１個使用し、後段側のスマートアンテナ装置の入力端に前段側の２つのスマートアンテナ装置の出力端を接続してピラミット型に縦続接続し、入力端の数を２Ｎ、出力端の数を１としたことを特徴とする複合スマートアンテナ装置。
【発明の詳細な説明】
【技術分野】
【０００１】
本発明は、複数のアンテナで受信した信号に移相調整と重み付けを施すことによって受信品質を改善したスマートアンテナ装置、及びこのスマートアンテナ装置を複数個用いて構成した複合スマートアンテナ装置に関する。
【背景技術】
【０００２】
スマートアンテナ技術（あるいは、アダプティブアンテナ技術とも呼ばれる場合がある）は、複数のアンテナで受信した信号に移相調整と重み付けを施し、合成後のＳ／Ｎを最大とする技術である。このような技術を用いたアダプティブアンテナ装置の基本構成を図９に示す。
【０００３】
図９において、Ａ１〜Ａｋ は素子アンテナ、Ｂ１〜Ｂｋは素子アンテナＡ１〜Ａｋにより受信された受信信号Ｘ１〜Ｘｋをそれぞれアナログ・デジタル変換するためのＡ／Ｄ変換器、Ｃ１〜ＣｋはＡ／Ｄ変換器Ｂ１〜Ｂｋによりデジタル信号に変換された信号Ｘ（ｎ）にそれぞれウエイトＷ１〜Ｗｋを乗算する重み付け部、１は重み付け部Ｃ１〜Ｃｋの乗算結果を合成して出力信号Ｙ（ｎ）を出力する加算器、２は、加算器１から出力された出力信号Ｙ（ｎ）と包絡線値σから受信信号Ｘ（ｎ）の振幅の歪みを評価する評価関数Ｑ（ｎ）を求め、その評価関数Ｑ（ｎ）に基づいて素子アンテナＡ１〜ＡｋのウエイトＷ（ｎ）を更新する信号処理部である。
【０００４】
まず、加算器１から出力された出力信号Ｙ（ｎ）と包絡線値σを演算式
Ｑ（ｎ）＝（｜｜Ｙ（ｎ）｜ｐ−σｐ｜ｑ）に代入して受信信号Ｘ（ｎ）の振幅の歪みを評価する評価関数Ｑ（ｎ）を求める。ｐ、ｑは、通常１又は２の整数である。
【０００５】
そして、信号処理部２は、評価関数Ｑ（ｎ）を求めると、受信信号Ｘ（ｎ）の歪みを最小化するため、その評価関数Ｑ（ｎ）に基づいて受信信号Ｘ（ｎ）のウエイトＷ（ｎ）を更新する。具体的には、下記に示すように、評価関数Ｑ（ｎ）をウエイトＷ（ｎ）により偏微分し、その微分結果∇ｗＱ（ｎ）を用いて次回のウエイトＷ（ｎ＋１）を決定する。
Ｗ（ｎ＋１）＝Ｗ（ｎ）−μ・∇ｗＱ（ｎ）
ただし、μはステップサイズ（評価の刻み幅）。
なお、ウエイトＷ（ｎ）は、時間ｎのときのウエイトＷ１〜Ｗｋを示すベクトルであるが、初期段階では、規格化された定数がＷ１＝１、Ｗ２＝０、Ｗ３＝０．．．ＷＫ＝０のように設定される。
【０００６】
これにより、重み付け部Ｃ１〜Ｃｋが次回に実施する重み付けは、更新されたウエイトＷ（ｎ＋１）を用いて実施することになり、受信信号Ｘ（ｎ）の振幅の歪みが最小化されることになる。また、所望信号波より電力が小さい干渉波が到来しても、その干渉波は抑圧される（例えば、特許文献１参照。）。
【０００７】
【特許文献１】特開平１１−２８４４２３号公報（図５）
【発明の開示】
【発明が解決しようとする課題】
【０００８】
従来の信号受信装置では、受信信号Ｘ（ｎ）の振幅の歪みを最小化するウエイトＷ（ｎ）を逐次更新するが、初期段階のウエイトＷ（１）は規格化された定数に設定されるため、最適なウエイトＷ（ｎ）を得るまでに長時間を要する課題が合った。また、デジタル変換後にウエイト演算するため、一層処理時間を要するという課題があった。
【０００９】
本発明は、２信号の最適ウエイト演算をアナログ回路によって簡単に求め、演算のスピードアップを図ることを目的とする。
【課題を解決するための手段】
【００１０】
上記課題に対して、本発明の第１の解決手段は、離間して配置された２つのアンテナにそれぞれ対応して設けられ、各アンテナから入力される受信信号にそれぞれ重み付けを施す第１の重み付け手段、第２の重み付け手段と、前記第１の重み付け手段の重み付けに対する前記第２の重み付け手段の重み付けの比αを求める演算手段と、前記各重み付け手段からそれぞれ出力される信号を互いに合成する合成手段と、前記２つの信号間の位相を同位相にする移相手段とを備え、前記第１の重み付け手段に入力される信号の信号成分、ノイズ成分の大きさをそれぞれＳ１、Ｎ１で表し、前記第２の重み付け手段に入力される信号の信号成分、ノイズ成分の大きさをそれぞれＳ２、Ｎ２で表したした場合、前記重み付けの比αを（Ｓ２／Ｓ１）×（Ｎ１／Ｎ２）２とした。
【００１１】
また、第２の解決手段は、前記演算手段は前記第１の重み付け手段から出力される信号成分の大きさに対する前記第２の重み付け手段から出力される信号成分の大きさの比を求める第１の除算回路と、前記第２の重み付け手段から出力されるノイズ成分の大きさに対する前記第１の重み付け手段から出力されるノイズ成分の大きさの比を求める第２の除算回路と、前記第２の除算回路の出力値を２乗する２乗算回路と、前記第１の除算回路の出力値と前記２乗算回路の出力値とを乗算する乗算回路とから構成した。
【００１２】
また、第３の解決手段は、前記第１の重み付け手段から出力される信号の信号成分とノイズ成分とを互いに分離する第１の分離手段と、前記第２の重み付け手段から出力される信号の信号成分とノイズ成分とを互いに分離する第２の分離手段とを設け、分離された前記各信号成分を前記第１の除算回路に入力し、分離された前記各ノイズ成分を前記第２の除算回路に入力した。
【００１３】
また、第４の解決手段は、前記第１及び第２の分離手段を、それぞれ前記受信信号の帯域を通過する第一のバンドパスフィルタと前記受信信号の帯域外を通過する第２１のバンドパスフィルタとで構成した。
【００１４】
また、第５の解決手段は、前記第１の重み付け手段と前記第２の重み付け手段との重み付けを設定するための重み付け設定手段を設け、前記重み付けの比αを示す信号を前記重み付け設定手段に入力した。
【００１５】
また、第６の解決手段は、前記第１の重み付け手段と前記第２の重み付け手段とをそれぞれ可変利得増幅器で構成し、前記重み付け設定手段を差動増幅器で構成した。
【００１６】
また、第７の解決手段は、Ｎを２以上の正の整数として請求項１乃至６に記載のスマートアンテナ装置を２Ｎ−１個使用し、後段側のスマートアンテナ装置の入力端に前段側の２つのスマートアンテナ装置の出力端を接続してピラミット型に縦続接続し、入力端の数を２Ｎ、出力端の数を１とした。
【発明の効果】
【００１７】
第１の解決手段のよれば、各アンテナから入力される受信信号にそれぞれ重み付けを施す第１の重み付け手段、第２の重み付け手段と、第１の重み付け手段の重み付けに対する第２の重み付け手段の重み付けの比αを求める演算手段と、各重み付け手段からそれぞれ出力される信号を互いに合成する合成手段と、２つの信号間の位相を同位相にする移相手段とを備え、第１の重み付け手段に入力される信号の信号成分、ノイズ成分の大きさをそれぞれＳ１、Ｎ１で表し、第２の重み付け手段に入力される信号の信号成分、ノイズ成分の大きさをそれぞれＳ２、Ｎ２で表したした場合、重み付けの比αを（Ｓ２／Ｓ１）×（Ｎ１／Ｎ２）２としたので、合成後の信号のＳ／Ｎは最大となり、振幅も最大となる。また、デジタル変換することなく、アナログ信号のまま目的とする重み付けの比αが簡単に得られる。また、リアルタイムで最大のＳ／Ｎ比の条件が得られるというメリットがある。しかも。演算そのものは既知の回路を用いて行うことができるので構成が簡単である。
【００１８】
また、第２の解決手段によれば、演算手段は第１の重み付け手段から出力される信号成分の大きさに対する第２の重み付け手段から出力される信号成分の大きさの比を求める第１の除算回路と、第２の重み付け手段から出力されるノイズ成分の大きさに対する第１の重み付け手段から出力されるノイズ成分の大きさの比を求める第２の除算回路と、第２の除算回路の出力値を２乗する２乗算回路と、第１の除算回路の出力値と２乗算回路の出力値とを乗算する乗算回路とから構成したので、アナログの演算回路によって重み付けの比αが簡単に得られる。
【００１９】
また、第３の解決手段によれば、第１の重み付け手段から出力される信号の信号成分とノイズ成分とを互いに分離する第１の分離手段と、第２の重み付け手段から出力される信号の信号成分とノイズ成分とを互いに分離する第２の分離手段とを設け、分離された各信号成分を第１の除算回路に入力し、分離された各ノイズ成分を第２の除算回路に入力したので、信号成分とノイズ成分とを簡単に分離して重み付けの比αを求められる。
【００２０】
また、第４の解決手段によれば、第１及び第２の分離手段を、それぞれ受信信号の帯域を通過する第一のバンドパスフィルタと受信信号の帯域外を通過する第２１のバンドパスフィルタとで構成したので、信号成分とノイズ成分とを簡単に分離できる。
【００２１】
また、第５の解決手段によれば、第１の重み付け手段と第２の重み付け手段との重み付けを設定するための重み付け設定手段を設け、重み付けの比αを示す信号を重み付け設定手段に入力したので、重み付けの比αを示す電圧を重み付け設定手段に入力することで、２つの重み付けが設定される。
【００２２】
また、第６の解決手段によれば、第１の重み付け手段と第２の重み付け手段とをそれぞれ可変利得増幅器で構成し、重み付け設定手段を差動増幅器で構成したので、各重み付け手段と重み付け設定手段とが簡単な構成で実現できる。
【００２３】
また、第７の解決手段によれば、Ｎを２以上の正の整数として請求項１乃至６に記載のスマートアンテナ装置を２Ｎ−１個使用し、後段側のスマートアンテナ装置の入力端に前段側の２つのスマートアンテナ装置の出力端を接続してピラミット型に縦続接続し、入力端の数を２Ｎ、出力端の数を１としたので、多入力型のスマートアンテナ装置を構成できる。
【発明を実施するための最良の形態】
【００２４】
本発明のスマートアンテナ装置の基本構成と理論的な考え方を図１に従って説明する。図示しない第１のアンテナで受信された受信信号Ｐ１は第１の重み付け手段１に入力される。また、第１のアンテナに対して離間されて配置された第２のアンテナ（図示せず）で受信された受信信号Ｐ２は第２の重み付け手段２に入力される。第１の重み付け手段１及び第２の重み付け手段２は、例えば、可変利得増幅器又は可変減衰器で構成され、利得あるいは減衰量によって重み付けが施される。また受信信号Ｐ１、受信信号Ｐ２は同一周波数の信号である。
【００２５】
重み付けされた受信信号の一方（Ｐ１）は合成手段４に入力され、他方（Ｐ２）は移相手段３を介して合成手段４に入力される。そして、合成手段４に入力される受信信号Ｐ１、Ｐ２は同一位相となる。
【００２６】
ここで、図１に示すように、第１の重み付け手段１に入力される受信信号Ｐ１の信号成分、ノイズ成分の大きさをそれぞれＳ１、Ｎ１とし、第２の重み付け手段２に入力される受信信号Ｐ２の信号成分、ノイズ成分の大きさをそれぞれＳ２、Ｎ２とする。また、第１の重み付け手段１に施される重み付けをＷ１、第２の重み付け手段２に施される重み付けをＷ２とし、さらに、合成後の信号（合成信号という）Ｐ０の信号成分、ノイズ成分の大きさをそれぞれＳ０、Ｎ０とする。
【００２７】
合成後の信号成分Ｓ０及びノイズ成分Ｎ０の値はＷ１、Ｗ２に依存し、同一位相条件下での信号成分Ｓ０は数式１で表される。また、ノイズ成分Ｎ０は位相の相関性がないため、時間平均値は２乗和の平方根となり数式２で表される。
【００２８】
【数１】
2006173920.tif 000003
【００２９】
【数２】
2006173920.tif 000004
【００３０】
従って、重み付けＷ１に対する重み付けＷ２の比（Ｗ２／Ｗ１）をαとすれば、合成信号Ｐ０の信号対雑音比、即ちＳ０／Ｎ０は数式３で表される。
【００３１】
【数３】
2006173920.tif 000005
【００３２】
数式３の左辺Ｓ０／Ｎ０を最大にするための条件は、右辺をαについて微分し、その結果を０とすることによって得られる。その結果、重み付けの比αは数式４に示されるものとなり、Ｓ０／Ｎ０の最大値（Ｓ０／Ｎ０）ＭＡＸは数式５で示される。
【００３３】
【数４】
2006173920.tif 000006
【００３４】
【数５】
2006173920.tif 000007
【００３５】
図２は、図１を基にして構成した具体的なスマートアンテナ装置の回路図を示す。受信信号Ｐ１が入力される第１の重み付け手段１と受信信号Ｐ２が入力される第２の重み付け手段２とには、重み付け配分手段５によってそれぞれＷ１、Ｗ２の重み付けが施される。具体的には、第１及び第２の重み付け手段１、２は可変利得増幅器あるいは可変減衰器によって構成され、重み付け配分手段５は差動増幅器等によって構成される。
【００３６】
Ｗ１の重み付けを施されて第１の重み付け手段１から出力される受信信号Ｐ１は次段に設けられた第１の分離手段６に入力される。また、Ｗ２の重み付けを施されて第２の重み付け手段２から出力される受信信号Ｐ２は次段に設けられた移相手段３を介して第２の分離手段７に入力される。第１の分離手段６、第２の分離手段７はそれぞれ受信信号Ｐ１、Ｐ２に含まれる信号成分とノイズ成分とを分離して抽出するためのものであり、第１の分離手段６には第１のバンドパスフィルタ６ａと第２のバンドパスフィルタ６ｂとが並設されており、第２の分離手段７には第３のバンドパスフィルタ７ａと第４のバンドパスフィルタ７ｂとが並設されている。
【００３７】
第１のバンドパスフィルタ６ａと第３のバンドパスフィルタ７ａとは同一構成を有し、それそれ受信信号の帯域を通過する。同様に、第２のバンドパスフィルタ６ｂと第４のバンドパスフィルタ７ｂとは同一構成を有し、受信信号の帯域外の通過する。第１及び第３のバンドパスフィルタ６ａ、７ａの通過帯域幅と第２及び第４のバンドパスフィルタ６ｂ、７ｂの通過帯域幅とは同じである。
【００３８】
従って、第１のバンドパスフィルタ６ａからは重み付け後の受信信号Ｐ１に含まれている信号成分Ｓ１×Ｗ１が出力され、第２のバンドパスフィルタ６ｂからは重み付け後の受信信号Ｐ１に含まれているノイズ成分Ｎ１×Ｗ１が出力さる。同様に、第３のバンドパスフィルタ７ａからは重み付け後の受信信号Ｐ２に含まれている信号成分Ｓ２×Ｗ２が出力され、第４のバンドパスフィルタ７ｂからは重み付け後の受信信号Ｐ２に含まれているノイズ成分Ｎ２×Ｗ２が出力さる。なお、各ノイズ成分Ｎ１×Ｗ１、Ｎ２×Ｗ２は周波数軸に対して一様に分布していること、及び各受信信号の帯域内のノイズ成分を抽出することが困難なことから、帯域外のノイズ成分を抽出してこれを各受信信号に含まれるノイズ成分Ｎ１×Ｗ１、Ｎ２×Ｗ２としている。
【００３９】
第１のバンドパスフィルタ６ａから出力された信号成分Ｓ１×Ｗ１は分配器８で分配され、その一部は検波器９によって検波され、演算手段１４に供給される。同様に、第３のバンドパスフィルタ７ａから出力された信号成分Ｓ２×Ｗ２は分配器１０で分配され、その一部は検波器１１によって検波され、演算手段１４に供給される。さらに、第２のバンドパスフィルタ６ｂから出力されたノイズ成分Ｎ１×Ｗ１と第４のバンドパスフィルタ７ｂから出力されたノイズ成分Ｎ２×Ｗ２はそれぞれ検波器１２、１３によって検波され、演算手段１４に供給される。
【００４０】
演算手段１４は、図３に示すように、第１の除算回路１４ａ、第２の除算回路１４ｂ、２乗算回路１４ｃ、乗算回路１４ｄから構成される。そして、２つの信号成分Ｓ１×Ｗ１、Ｓ２×Ｗ２が第１の除算回路１４ａによって（Ｓ２×Ｗ２）／（Ｓ１×Ｗ１）が演算される。また、２つのノイズ成分Ｎ１×Ｗ１、Ｎ２×Ｗ２が第２の除算回路１４ｂによって（Ｎ１×Ｗ１）／（Ｎ２×Ｗ２）が演算される。第２の除算回路１４ｂから出力された演算結果は２乗算回路１４ｃによって｛（Ｎ１×Ｗ１）／（Ｎ２×Ｗ２）｝２が演算される。そして、乗算回路１４ｄによって｛（Ｓ２×Ｗ２）／（Ｓ１×Ｗ１）｝×｛（Ｎ１×Ｗ１）／（Ｎ２×Ｗ２）｝２が演算される。その結果は、（Ｓ２／Ｓ１）×（Ｎ１／Ｎ２）２となり、数式４に示した重み付けの比αとなる。
【００４１】
演算手段１４を構成する個々の回路、即ち、第１及び第２の除算回路１４ａ、１４ｂ、２乗算回路１４ｃ、乗算回路１４ｄはオペアンプ等で構成可能であることは周知であるので、ここでの詳細な説明は省略する。
【００４２】
演算回路１４によって求められた重み付けの比αを示す信号（電圧）は、重み付けを設定するための重み付け設定手段５に供給される。重み付け設定手段５の具体的な構成例を第１及び第２の重み付け手段１、２と共に図４に示す。図４に示す重み付け設定手段５は２つのトランジスタ５ａ、５ｂを用いた差動増幅器で構成される。各エミッタは結合されて抵抗５ｃによって接地される。各コレクタにはそれぞれ負荷抵抗５ｄ、５ｅから給電され、一方のトランジスタ５ａのベースに重み付けの比αを示す信号が入力される。
【００４３】
第１及び第２の重み付け手段１、２は例えばＦＥＴ（電界効果トランジスタ）によって構成され。各ＦＥＴの第１ゲートＧ１にそれぞれ受信信号Ｐ１、Ｐ２が入力され、第１の重み付け手段１の第２ゲートＧ２がトランジスタ５ａのコレクタに接続され、第２の重み付け手段２の第２ゲートＧ２がトランジスタ５ｂのコレクタに接続される。各ソースＳが接地され、各ドレインＤから重み付けが施された（利得が制御された）信号が出力される。
【００４４】
この構成によれば、重み付けの比αが大きくなれば、トランジスタ５ａのコレクタ電圧が下降し、トランジスタ５ｂのコレクタ電圧が上昇する。この結果、第１の重み付け手段１の利得が大きくなり、第２の重み付け手段２の利得が小さくなるように動作する。
【００４５】
分配器８から出力された信号成分Ｓ１×Ｗ１は、更に分配器１５を介して位相差検出手段１７と合成手段４とに供給される。同様に、分配器１０から出力された信号成分Ｓ２×Ｗ２は、更に分配器１６を介して位相差検出手段１７と合成手段４とに供給される。位相差検出手段１７によって検出された位相差ΔΦは少なくともローパスフィルタを有する駆動回路１８を介して移相手段３に供給され、信号成分Ｓ２×Ｗ２の位相が信号成分Ｓ１×Ｗ１の位相と同一とされる。従って、合成手段４によって合成された信号成分（Ｓ１×Ｗ１）＋（Ｓ２×Ｗ２）の振幅は最大になると共に、そのＳ／Ｎ比も数式５で示されるように最大となる。
【００４６】
以上のように、本発明のスマートアンテナ装置は受信信号Ｐ１、Ｐ２に重み付けを施す際に、デジタル変換することなくアナログ信号のままで演算によってＳ／Ｎ比を最大になる条件をもとめて行うので、リアルタイムで最大のＳ／Ｎ比の条件が得られるというメリットがある。しかも。演算そのものは既知の回路を用いて行うことができるので構成が簡単である。
【００４７】
なお、移相手段３は受信信号Ｐ１が入力される受信系統に設けてもよい。また、位相差検出手段１６よりも前段側であれば何れに設けてもよい。さらに、受信信号Ｐ１、Ｐ２の周波数が高過ぎる場合には、適宜に周波数変換（ダウンコンバート）した後に各重み付け手段１、２に入力すればよい。
【００４８】
以上までに説明したスマートアンテナ装置は、２入力タイプであるが、これを複数個使用することによって、４以上の入力端を有する複合スマートアンテナ装置を構成できる。具体的には、２Ｎ−１個（Ｎは２以上の正の整数）のスマートアンテナ装置を使用し、後段側のスマートアンテナ装置の入力端に前段側の２つのスマートアンテナ装置の出力端を接続してピラミット型に縦続接続し、入力端の数を２Ｎ、出力端の数を１とすればよい。
【００４９】
例えば、Ｎを２とした場合は３個のスマートアンテナ装置を使用することとなり、図５に示すような複合スマートアンテナ装置が構成できる。ここで、２入力のスマートアンテナ装置をＳＡとすると、後段側のスマートアンテナ装置ＳＡ１の入力端に前段側のスマートアンテナ装置ＳＡ２、ＳＡ３の出力端を接続すれば、４入力タイプの複合スマートアンテナ装置が構成できる。
【００５０】
また、Ｎを３として７個のスマートアンテナ装置ＳＡを使用すれば、図６に示すように、スマートアンテナ装置ＳＡ２の入力端に２つのスマートアンテナ装置ＳＡ４、ＳＡ５を接続し、スマートアンテナ装置ＳＡ３の入力端に２つのスマートアンテナ装置ＳＡ６、ＳＡ７を接続する。スマートアンテナ装置ＳＡを集積回路化（ＩＣ化）することで多入力の複合スマートアンテナ装置を小型化できる。
【図面の簡単な説明】
【００５１】
【図１】本発明のスマートアンテナ装置の基本構成図である。
【図２】本発明のスマートアンテナ装置の具体構成を示す回路図である。
【図３】本発明のスマートアンテナ装置に使用する演算手段の構成図である。
【図４】本発明のスマートアンテナ装置に使用する重み付け配分手段の１例を示す回路図である。
【図５】本発明の複合スマートアンテナ装置の１例を示す構成図である。
【図６】本発明の複合スマートアンテナ装置の他の１例を示す構成図である。
【図７】従来のアダプティブアンテナ装置の構成図である。
【符号の説明】
【００５２】
１：第１の重み付け手段
２：第１の重み付け手段
３：移相手段
４：合成手段
５：重み付け設定手段
６：第１の分離手段
７：第２の分離手段
８、１０、１５、１６：分配器
９、１１、１２、１３：検波手段
１７：位相差検出手段
１８：駆動回路
【図１】
2006173920.tif 000008
【図２】
2006173920.tif 000009
【図３】
2006173920.tif 000010
【図４】
2006173920.tif 000011
【図５】
2006173920.tif 000012
【図６】
2006173920.tif 000013
【図７】
2006173920.tif 000014